(57)【要約】      （修正有）【課題】製材工場の大鋸屑、従来建築解体処理された、廃棄物として処理されていた建築廃材を木質チップや大鋸屑、及び、その粉末、粒子状木材を薪ストーブや薪ボイラー用燃料に転換し、運搬するのが容易にして、木材資源保護と環境保護による清潔、安全でクリーンな木質燃料を提供する。【解決手段】大鋸屑や木材チップなどの粉末状、粒子状木材を密閉できる紙袋やセロハン紙などフィルム等の中に収納し、その紙袋内の空気を除去することにより大鋸屑や木材チップなどの粉末、粒子状木材が固形化することにより薪ストーブ内で安全にかつクリーンに燃焼させることが出来る、そしてまたより多くの安心、安全、清潔、クリーン燃焼させるために網、パンチング網を用いてバスケット(カゴ)を製作して使用する、パック詰め燃料。【選択図】図３
2008069257.tif 000002
【特許請求の範囲】
【請求項１】
木材の大鋸屑や、木質チップあるいは圧縮固形化されたペレット状の燃料を紙袋等やセロハン紙などフィルム等でパック詰めして、その紙袋などの容器の入り口を糊などの接着剤でシールしたことにより、清潔、安全性、便利性と運搬性の改善、並びに従来、廃棄物とされていた、大鋸屑・木質チップを燃料化することが可能にしたことを特徴とする、薪ストーブ、薪ボイラー用に紙袋、コーティング紙等によりパック詰めされたパック詰め燃料。
【請求項２】
前記紙袋などのパック容器内に、大鋸屑、木質チップや木質ペレットを封入するときに、その容器に気密性を持たせることによりその容器内に大鋸屑などを入れた後に、容器を密封するときに容器内の空気を排出することにより、より体積を小さくすることが出来る請求項１記載の大鋸屑などを紙袋などに入れて固形化したパック詰め燃料。
【請求項３】
いろんな用途に応じて、大鋸屑、木質チップ等を前記紙袋などのパック容器は例えば、棒状のステック薪、カステラのような長方形薪など、いろんな形に固形化することができるパック詰め燃料。
【請求項４】
薪ストーブ用の薪の中では樫の木、比重が約0.9位で非常に堅く長持ちする良い薪とされている、粉末状である大鋸屑や粒子状である木質チップは表面が炭化してから、なかなか、いっきに燃えないので良い燃料として注目されていました、大鋸屑は燃え難い、少々おおきい木質チップは比較的、燃えやすいので、混ぜてブレンドすることを特徴としたこと、そこで本発明は請求項１記載の大鋸屑や木質チップに、植物や鉱物系燃料などをブレンドして、ブレンド燃料を袋詰めパック化することにより、火持ちの良い燃料ができ、清潔、安全、便利性、輸送便利性になることを特徴する、ブレンド燃料のパック詰め燃料。
【請求項５】
請求項1、2、3,4で固形化されたバック詰め燃料をより最良に安心、安全、清潔、便利性に使用するために、薪ストーブ、薪ボイラー用の燃焼室の中に部分的に網、パンチング網を用いてバスケット(カゴ
)を製作して使用することを特徴としたこと。
【発明の詳細な説明】
【技術分野】
【０００１】
本発明は、主として、屋内に設置して薪や石炭等の固形燃料を燃焼させて室内の空気を暖めることが出来る薪ストーブ、薪ボイラー用燃料に関するものである。
【背景技術】
【０００２】
従来、薪ストーブや薪ボイラー用の燃料といえば、木材や樹木の裁断品や石炭等が知られている。
【０００３】
したがって薪ストーブでは、木質系燃料を燃焼させることに関しては効率よく燃焼させることが可能となる構造に作られている。しかし木質系燃料は樹木をストーブの中に入るように一定の大きさにそろえて伐ることと、そしてまた約１年間位乾燥させる必要があった。
【０００４】
そしてまた、製材工場で樹木の切断時に大量に大鋸屑が発生してしまう。また住宅建設時に大鋸屑や、木材チップなども発生するが、形状が小さいためそのままの状態では薪ストーブ用の燃料としては利用する事が難しかった。
【発明の開示】
【発明が解決しようとする課題】
【０００５】
解決しようとする問題点は、前述の製材工場で製作時に発生する大量の大鋸屑をそのままの状態でストーブの中で燃焼させるとき、大鋸屑を十能ですくい扉を開けてストーブの中に投入することになるのであるが、このとき大鋸屑が粉体状になっているためストーブの中に投入されると同時に一部の大鋸屑は燃焼し、ストーブ内の圧力が瞬時に上昇するため扉側へ燃焼空気が噴き出すことがある。
【０００６】
このため十能の上に乗っていた大鋸屑などがストーブ内の急激な燃焼による燃焼ガスによりその一部が吹き飛ばされたりしてストーブの周囲を大鋸屑で散らかしてしまったり、火のついた大鋸屑も吹き飛ばされる可能性もあり火災の発生原因にもなるため大鋸屑をそのままで薪ストーブ用燃料として利用されることはほとんど無かった。
【課題を解決するための手段】
【０００７】
本発明は、従来ストーブ用燃料として利用することができなかった大鋸屑のような粉末状の燃料を安全に燃焼し、薪ストーブや薪ボイラー用燃料として安全にしかも手を汚さずクリーンに、便利、燃焼させる事が出来る事を提供する。
【０００８】
粉末状の大鋸屑や木材チップなどを紙袋などの容器に収納し、その容器を密閉することにより固形化させて、大鋸屑や木材チップが薪ストーブや薪ボイラーへの投入時に飛散することなく安全、清潔に燃焼させることを提供する。
【０００９】
前述のように大鋸屑や木材チップなどを紙袋などの容器に収納することにより、大鋸屑などの未利用資源が薪ストーブや薪ボイラー用燃料としての用途拡大がはかれる。
【発明の効果】
【００１０】
従来、廃棄物などとして処理されていた大鋸屑や木材チップが紙袋につめることにより清潔、便利性、輸送の便利性、またストーブ内で安全に効率よく燃焼させることが出来る。
【００１１】
また、ストーブに投入するときも大鋸屑が飛散せずに容易に投入する事が出来る。このため薪ストーブ用の燃料として使用できなかった大鋸屑、木質チッブを薪ストーブ、薪ボイラー用燃料として利用する事が出来る。
【００１２】
請求項２の発明によれば、大鋸屑を詰める紙袋が密閉できる構造にしておくことにより紙袋内に大鋸屑を入れた後に、紙袋の口を閉じるときに紙袋内に入っている空気を取り除き、紙袋内部の空気を抜く事により同じ紙袋の容器内に収納する大鋸屑の量が増やせることになり、燃焼時間も増やすことが可能となる、そして最良の樫の薪に近づけることが可能としたことである。
【発明を実施するための最良の形態】
【００１３】
本発明の実施の形態を、図面に基づいてその作用効果を簡単に説明する。
【００１４】
従来、薪ストーブ用燃料として薪や建築木材の端材などが利用されていたが、その一方で薪の製造時や、建築木材の製材時に発生する大鋸屑の処分方法が確立されていなかったため、産業廃棄物として処理されている状態であった。
【００１５】
そこで、大鋸屑や木質チップの燃料化をするに当り、大鋸屑が小さい粉末状になっているため紙袋の中に収納することが薪ストーブ内で同時に紙袋も燃焼させることが出来るため最適な供給形態である。
【００１６】
このとき、大鋸屑を収納できる紙袋等が内部空気を排出したときに再び空気が紙袋の中に入らないような内部シールが出来るような薄い樹脂フィルムがコーティングされているものであればより同じ大きさの紙袋の中により多くの大鋸屑などを収納する事が可能になり、燃料としての供給効率を向上させることが出来る。
【００１７】
大鋸屑、木質チップを紙袋に収納し固形化することにより運搬性も向上し、また体積あたりの重量（高密度）も上げられるため、薪ストーブや薪ボイラー用の燃料として最適となり、大鋸屑がクリーンで、安全、便利な燃料に転換する事が出来る。
【図面の簡単な説明】
【００１８】
【図１】本発明の大鋸屑や木質チップを固形化させるための紙袋図
【図２】本発明の大鋸屑や木質チップを紙袋に入れた図
【図３】本発明の大鋸屑や木質チップを紙袋に入れて密封したブロック形状の燃料図
【図４】本発明の網、パンチング網付きバスケットの図
【符号の説明】
【００１９】
１    紙袋
２    大鋸屑や木材チップ
３    網、パンチング網
４    バスケット（網、パンチング網付き  ）
【図１】
2008069257.tif 000003
【図２】
2008069257.tif 000004
【図３】
2008069257.tif 000005
【図４】
2008069257.tif 000006